(57)【要約】【課題】液晶装置等の電気光学装置において、高品質なカラー画像を表示する。【解決手段】電気光学装置は、基板（１０）上に、画素の開口領域を区画する非開口領域に、互いに交差するように配置されたデータ線（６ａ）及び走査線（３ａ）と、データ線より上層側に形成されており、平坦化処理が施された平坦部（２４０）及び平坦部より下層側に掘り下げられた凹部（２５０）を有する層間絶縁膜（４３）と、平坦部上に形成されたシールド層（２１０）と、層間絶縁膜より上層側に、少なくとも凹部を埋めるように形成されたカラーフィルタ（２２０）と、カラーフィルタより上層側に、データ線及び走査線の交差に対応するように形成された画素電極（９ａ）とを備える。【選択図】図４
2010072512.tif 000002
【特許請求の範囲】
【請求項１】
基板上に、
画素の開口領域を区画する非開口領域に、互いに交差するように配置されたデータ線及び走査線と、
前記データ線より上層側に形成されており、平坦化処理が施された平坦部及び該平坦部より下層側に掘り下げられた凹部を有する層間絶縁膜と、
前記平坦部上に形成されたシールド層と、
前記層間絶縁膜より上層側に、少なくとも前記凹部を埋めるように形成されたカラーフィルタと、
前記カラーフィルタより上層側に、前記データ線及び前記走査線の交差に対応するように形成された画素電極と
を備えることを特徴とする電気光学装置。
【請求項２】
前記平坦部は、前記非開口領域に設けられており、
前記凹部は、前記開口領域に設けられている
ことを特徴とする請求項１に記載の電気光学装置。
【請求項３】
前記カラーフィルタより上層側且つ前記画素電極より下層側に形成されたオーバーコート膜を更に備えることを特徴とする請求項１又は２に記載の電気光学装置。
【請求項４】
前記凹部は、前記平坦部より１μｍ以上下層側に掘り下げられていることを特徴とする請求項１から３のいずれか一項に記載の電気光学装置。
【請求項５】
前記画素電極は、前記シールド層と同一層に形成された中継層を介して前記データ線と電気的に接続されており、
前記画素電極及び前記中継層を電気的に接続するコンタクトホールの深さは、０．５μｍ以下とされている
ことを特徴とする請求項１から４のいずれか一項に記載の電気光学装置。
【請求項６】
請求項１から５のいずれか一項に記載の電気光学装置を具備してなることを特徴とする電子機器。
【請求項７】
基板上に、
画素の開口領域を区画する非開口領域に、互いに交差するようにデータ線及び走査線を配置する配線工程と、
前記データ線より上層側に層間絶縁膜を形成する層間絶縁膜形成工程と、
前記層間絶縁膜に平坦化処理を施すことで平坦部を形成する平坦化工程と、
前記層間絶縁膜を部分的に下層側に掘り下げることで凹部を形成する凹部形成工程と、
前記平坦部上にシールド層を形成するシールド層形成工程と、
前記層間絶縁膜より上層側に、少なくとも前記凹部を埋めるようにカラーフィルタを形成するカラーフィルタ形成工程と、
前記カラーフィルタより上層側に、前記データ線及び前記走査線の交差に対応するように画素電極を形成する画素電極形成工程と
を含むことを特徴とする電気光学装置の製造方法。
【発明の詳細な説明】
【技術分野】
【０００１】
本発明は、例えば液晶装置等の電気光学装置、及び該電気光学装置を備えた、例えば液晶プロジェクタ等の電子機器、並びに電気光学装置の製造方法の技術分野に関する。
【背景技術】
【０００２】
この種の電気光学装置として、例えば薄膜トランジスタ（ＴＦＴ：Thin Film Transistor）等を含んでおり、これに加えて薄膜からなるデータ線や走査線等の種々の配線や電極が導電層として積層されて構成されるものがある。このような電気光学装置の動作時には、各導電層に信号電圧、電源電圧等の電圧を印加すると、容量カップリングに起因して、複数の導電層の相互間に電磁ノイズが生じる場合がある。このような電磁ノイズは、表示不良等の様々な不具合を招くおそれがあるため、例えば画素電極及びデータ線間にシールド層を形成することで容量カップリングの発生を防止するという技術が提案されている（特許文献１参照）。
【０００３】
【特許文献１】特開２００４−１７０９０８号公報
【発明の開示】
【発明が解決しようとする課題】
【０００４】
しかしながら、シールド層を形成する際には、加工上の問題から下地となる層に対して平坦化処理を施すことが求められる。ここで、シールド層より上層側にカラーフィルタを設ける場合を考えると、カラーフィルタの上層側に設けられる画素電極及びカラーフィルタの下層側の導電層を電気的に接続するためのコンタクトホールは、カラーフィルタを貫通するだけの深さを有することが求められる。コンタクトホールの深さが深くなり過ぎると、例えば抵抗が高くなり、画像を表示するために電圧を印加しなければならない時間が増加してしまう。
【０００５】
通常、高精細な画像を表示する装置においては、多くの画素に高速に電圧を印加しなければならないため、各画素に電圧を印加する時間は比較的短い。よって、上述したようにコンタクトホールの抵抗が高くなってしまうと、画素電極に十分な電圧を印加することができなくなってしまうおそれがある。即ち、上述した技術には、カラーフィルタを設ける場合に、画質の低下を招くおそれがあるという技術的問題点がある。
【０００６】
本発明は、例えば上述した問題点に鑑みなされたものであり、高品質なカラー画像を表示することが可能な電気光学装置及び電子機器、並びに電気光学装置の製造方法を提供することを課題とする。
【課題を解決するための手段】
【０００７】
本発明の電気光学装置は上記課題を解決するために、基板上に、画素の開口領域を区画する非開口領域に、互いに交差するように配置されたデータ線及び走査線と、前記データ線より上層側に形成されており、平坦化処理が施された平坦部及び該平坦部より下層側に掘り下げられた凹部を有する層間絶縁膜と、前記平坦部上に形成されたシールド層と、前記層間絶縁膜より上層側に、少なくとも前記凹部を埋めるように形成されたカラーフィルタと、前記カラーフィルタより上層側に、前記データ線及び前記走査線の交差に対応するように形成された画素電極とを備える。
【０００８】
本発明の電気光学装置によれば、例えばデータ線及び走査線等の各種配線や電極が形成された基板と、この基板に対向するように配置された対向基板間に液晶等の電気光学物質が挟持されており、基板間に電圧を印加させることで電気光学物質を制御し画像を表示させる。より具体的には、例えばデータ線から画素電極への画像信号の供給が制御されつつ走査線から走査信号が供給され、所謂アクティブマトリクス方式による画像表示が行われる。
【０００９】
画素電極の下層側には、カラーフィルタが形成されており、単体で或いは単板式にて、カラー表示が可能とされている。カラーフィルタは、典型的には、ＲＧＢ（即ち、赤色、緑色、青色）夫々に対応する着色層が画素毎に交互に配列されるように形成されており、隣り合う画素に画像信号に応じて相異なる電位を適宜供給することでフルカラー画像が表示される。
【００１０】
装置の動作時には、画素電極及び画素電極より下層側の導電層（例えば、データ線）間において、容量カップリングが発生してしまう場合がある。容量カップリングは、複数の導電層の相互間に電磁ノイズを発生させ、結果として表示不良等の様々な不具合を招くおそれがある。このため画素電極の下層には、例えばアルミ等の金属膜として形成されたシールド層が設けられており、容量カップリングの発生を効果的に防止している。
【００１１】
ここで特に、シールド層は、層間絶縁膜における平坦部上に形成されている。即ち、シールド層は、平坦化処理が施された層の上に形成される。このため、平坦化処理を行わない場合と比べると、極めて容易にシールド層を形成することができる。また、シールド層自体も平坦な層として形成されるため、成膜後の加工も容易に行える。
【００１２】
他方で、上述したシールド層と同様に層間絶縁膜の上層に設けられるカラーフィルタは、層間絶縁膜における凹部に形成されている。凹部は、シールド層が形成される平坦部より下層側に掘下げられた部分であり、例えば平坦化処理が施された後に、エッチング等によるパターニングが行われることで形成される。カラーフィルタは、凹部を少なくとも部分的に埋めるように形成される。このためカラーフィルタは、平坦部に形成されるシールド層と比べると、より下層側にまで形成されている。
【００１３】
ここで仮に、層間絶縁膜に凹部が形成されておらず、カラーフィルタが平坦部上に形成されるとすると、カラーフィルタの上層側に設けられる画素電極及びカラーフィルタの下層側の導電層を電気的に接続するためのコンタクトホール（以下、単に「コンタクトホール」と称する）は、カラーフィルタを貫通するだけの深さ（例えば、１μｍ以上）を有することが求められる。コンタクトホールにおける抵抗は、コンタクトホールの深さが深くなる程高くなる。そして、コンタクトホールの抵抗が高くなると、画像を表示させるために電圧を印加する時間は増加してしまう。
【００１４】
しかるに本発明では特に、上述したように、カラーフィルタが凹部に形成されているため、平坦部上に積層される部分の膜厚が、カラーフィルタの厚さに応じて、厚くなってしまうことを回避することができる。よって、平坦部にコンタクトホールを設けるようにすれば、比較的浅いものとして形成することができる。即ち、カラーフィルタを、その機能が十分に発揮できるように比較的厚く形成した場合であっても、コンタクトホールが深くなり過ぎてしまうことを防止できる。よって、コンタクトホールにおける抵抗が高くなることにより、画像が適切に表示できなくなってしまうことを防止することができる。
【００１５】
尚、カラーフィルタは、層間絶縁膜における凹部から平坦部上にまで延びるように形成されていてもよい。この場合、カラーフィルタは凹部において十分な厚さを確保できるため、平坦部における厚みを小さくすることができる。よって、平坦部に形成されるコンタクトホールが深くなり過ぎてしまうことを確実に防止することができる。
【００１６】
以上説明したように、本発明の電気光学装置によれば、平坦化処理を施してシールド層を設ける場合であっても、画素電極と電気的に接続されるコンタクトホールの抵抗が増大してしまうことを防止できる。従って、高品質なカラー画像を表示することが可能である。
【００１７】
本発明の電気光学装置の一態様では、前記平坦部は、前記非開口領域に設けられており、前記凹部は、前記開口領域に設けられている。
【００１８】
この態様によれば、シールド層が形成される平坦部は、データ線や走査線が配置される非開口領域（即ち、画像表示に寄与しない領域）に設けられている。また、カラーフィルタが形成される凹部は、遮光性を有する部材が配置されない開口領域（即ち、画像を表示するための領域）に設けられている。
【００１９】
開口領域は、非開口領域と比べると、配置される配線等の部材が極めて少なく、導電層だけを見た場合の膜厚は比較的薄い。よって、凹部を形成する際に、他の部材のレイアウトが妨げられてしまうことを防止できる。言い換えれば、凹部を形成することで、平坦化処理によって非開口領域と同様の膜厚とされてしまった分のスペースを有効に活用することができる。
【００２０】
本発明の電気光学装置の他の態様では、前記カラーフィルタより上層側且つ前記画素電極より下層側に形成されたオーバーコート膜を更に備える。
【００２１】
この態様によれば、オーバーコート膜の存在によって、カラーフィルタ等の基板上に形成された部材に含まれる金属イオンが、液晶等の電気光学物質に侵入してしまうことを防止することができる。また逆に、電気光学物質に含まれる水分等が、基板側に侵入してしまうことも防止することができる。
【００２２】
オーバーコート膜を備えることで、画素電極の下層の膜厚は更に厚くなってしまうが、上述したように、カラーフィルタが凹部に形成されている分、コンタクトホールを浅いものとして形成することができる。よって、コンタクトホールの抵抗が増大してしまうことによって、画質が低下してしまうことを効果的に防止することが可能である。
【００２３】
本発明の電気光学装置の他の態様では、前記凹部は、前記平坦部より１μｍ以上下層側に掘り下げられている。
【００２４】
この態様によれば、層間絶縁膜における凹部が、平坦部より１μｍ以上下層側に掘り下げられているため、カラーフィルタが１μｍ以下の厚さであれば、カラーフィルタの全てを凹部の内部に形成することができる。また、カラーフィルタを１μｍより厚く形成する場合であっても、少なくとも１μｍ分は、カラーフィルタが平坦部の膜厚に与える影響を低減することができる。よって、平坦部におけるコンタクトホールが長くなることで、コンタクトホールの抵抗が増大してしまうことを防止することが可能である。
【００２５】
本発明の電気光学装置の他の態様では、前記画素電極は、前記シールド層と同一層に形成された中継層を介して前記データ線と電気的に接続されており、前記画素電極及び前記中継層を電気的に接続するコンタクトホールの深さは、０．５μｍ以下とされている。
【００２６】
この態様によれば、シールド層と同一層には、画素電極とデータ線との電気的接続を中継するための中継層が形成されている。尚、ここでの「同一層」とは、同一の成膜工程によって形成される層であることを意味しており、層の厚さや位置などは異なっていても構わない。シールド層と中継層とは、互いに電気的に接続されないように形成されている。
【００２７】
本態様では特に、画素電極及び中継層を電気的に接続するコンタクトホールの深さが０．５μｍ以下とされているため、コンタクトホールにおける抵抗を比較的低い値とすることができる。よって、効果的に画質が低下してしまうことを防止することが可能である。
【００２８】
本発明の電子機器は上記課題を解決するために、上述した本発明の電気光学装置（但し、その各種態様も含む）を備える。
【００２９】
本発明の電子機器によれば、上述した本発明に係る電気光学装置を具備してなるので、高品質なカラー表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００３０】
本発明の電気光学装置の製造方法は上記課題を解決するために、基板上に、画素の開口領域を区画する非開口領域に、互いに交差するようにデータ線及び走査線を配置する配線工程と、前記データ線より上層側に層間絶縁膜を形成する層間絶縁膜形成工程と、前記層間絶縁膜に平坦化処理を施すことで平坦部を形成する平坦化工程と、前記層間絶縁膜を部分的に下層側に掘り下げることで凹部を形成する凹部形成工程と、前記平坦部上にシールド層を形成するシールド層形成工程と、前記層間絶縁膜より上層側に、少なくとも前記凹部を埋めるようにカラーフィルタを形成するカラーフィルタ形成工程と、前記カラーフィルタより上層側に、前記データ線及び前記走査線の交差に対応するように画素電極を形成する画素電極形成工程とを含む。
【００３１】
本発明の電気光学装置の製造方法によれば、先ず非開口領域に互いに交差するようにデータ線及び走査線が配置される。データ線及び走査線が交わる箇所には、典型的には、ゲート電極等を含むトランジスタが形成される。
【００３２】
続いて、データ線より上層側に、絶縁材料によって層間絶縁膜が形成される。層間絶縁膜は、単層であってもよいし、複数の層が積層されることで形成されていてもよい。層間絶縁膜には、平坦化工程において平坦化処理が施される。尚、この平坦化工程は、層間絶縁膜形成工程と同時に行われてもよい。即ち、層間絶縁膜の表面は、形成される時点で平坦化されても構わない。
【００３３】
本発明では特に、平坦化された層間絶縁膜が部分的に下層側に掘下げられることで、平坦部と凹部とが構成される。即ち、掘り下げられた部分が凹部として形成され、掘り下げられない部分が平坦部として残る。層間絶縁膜の掘り下げは、例えばウェットエッチングやドライエッチング等によって行われる。層間絶縁膜の平坦部上には、シールド層が形成される。また凹部を少なくとも部分的に埋めるようにカラーフィルタが形成される。
【００３４】
カラーフィルタより上層側には、データ線及び前記走査線の交差に対応するように画素電極が形成される。画素電極は、例えばＩＴＯ（Indium Tin Oxide）等の透明材料によって形成される。
【００３５】
本発明の電気光学装置の製造方法によって製造される電気光学装置は、カラーフィルタが凹部に形成されているため、画素電極及びカラーフィルタの下層側の導電層を電気的に接続するためのコンタクトホールが深くなり過ぎてしまうことを防止できる。よって、コンタクトホールにおける抵抗が高くなることにより、画像が適切に表示できなくなってしまうことを防止することができる。
【００３６】
本発明の作用及び他の利得は次に説明する発明を実施するための最良の形態から明らかにされる。
【発明を実施するための最良の形態】
【００３７】
以下では、本発明の実施形態について図を参照しつつ説明する。
【００３８】
＜電気光学装置＞
本実施形態に係る電気光学装置について、図１から図５を参照して説明する。尚、以下の実施形態では、本発明の電気光学装置の一例である駆動回路内蔵型のＴＦＴアクティブマトリクス駆動方式の液晶装置を例にとる。
【００３９】
先ず、本実施形態に係る電気光学装置の全体構成について、図１及び図２を参照して説明する。ここに図１は、本実施形態に係る電気光学装置の全体構成を示す平面図であり、図２は、図１のＨ−Ｈ´線断面図である。
【００４０】
図１及び図２において、本実施形態に係る電気光学装置では、本発明の「基板」の一例であるＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、これら一対の配向膜間で所定の配向状態をとる。ＴＦＴアレイ基板１０と対向基板２０とは、複数の画素電極が設けられた画像表示領域１０ａの周囲に位置するシール領域に設けられたシール材５２により相互に接着されている。
【００４１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４２】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００４３】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４４】
ＴＦＴアレイ基板１０上には、対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４５】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、カラー表示を行うためのカラーフィルタ及びＩＴＯ等の透明材料からなる画素電極９ａが、画素毎に所定のパターンで島状に形成されている。
【００４６】
カラーフィルタはＲＧＢの夫々に対応するように形成されている。赤色のカラーフィルタは、赤色の光（即ち、６２５〜７４０ｎｍ程度の波長を有する光）のみを通過させるカラーフィルタであり、緑色のカラーフィルタは、緑色の光（即ち、５００〜５６５ｎｍ程度の波長を有する光）のみを通過させるカラーフィルタであり、青色のカラーフィルタは、青色の光（即ち、４５０〜４８５ｎｍ程度の波長を有する光）のみを通過させるカラーフィルタである。一つの画素（即ち、一つのカラー画素或いはフルカラー画素）は、例えば赤色のカラーフィルタに対応するサブ画素、緑色のカラーフィルタに対応するサブ画素、及び青色のカラーフィルタに対応するサブ画素という、三つのサブ画素の集合から構築されている。
【００４７】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４８】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４９】
遮光膜２３上には、ＩＴＯ等の透明材料からなる対向電極２１が複数の画素電極９ａと対向するように形成されている。対向基板２０の対向面上における、対向電極２１上には、配向膜２２が形成されている。
【００５０】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５１】
次に、本実施形態に係る電気光学装置の画素部の電気的な構成について、図３を参照して説明する。ここに図３は、本実施形態に係る電気光学装置の画像表示領域を構成するマトリクス状に形成された複数の画素における各種素子、配線等の等価回路図である。
【００５２】
図３において、画像表示領域１０ａを構成するマトリクス状に形成された複数の画素の各々には、画素電極９ａ及びＴＦＴ３０が形成されている。ＴＦＴ３０は、画素電極９ａに電気的に接続されており、本実施形態に係る電気光学装置の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００５３】
ＴＦＴ３０のゲートには、走査線３ａが電気的に接続されており、本実施形態に係る電気光学装置は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００５４】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射される。
【００５５】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０によれば、画素電極９ａにおける電位保持特性が向上し、コントラスト向上やフリッカの低減といった表示特性の向上が可能となる。
【００５６】
次に、上述の動作を実現する画素部の具体的な構成について、図４及び図５を参照して説明する。ここに図４は、実施形態に係る電気光学装置における画素部の具体的な構成を示す断面図であり、図５は、比較例に係る電気光学装置の構成を示す断面図である。尚、図４及び図５では、各層・各部材を図面上で認識可能な程度の大きさとするため、該各層・各部材ごとに縮尺を異ならしめてある。また図４及び図５では、説明の便宜上、画素電極９ａより上側に位置する部分の図示を省略している。
【００５７】
図４において、ＴＦＴアレイ基板１０上には、走査線３ａが設けられている。走査線３ａは、例えばアルミ等の遮光性を有する金属を含んで形成されており、走査信号を伝達するという機能に加えて、ＴＦＴアレイ基板１０側から（即ち、図の下側から）入射しようとする光を遮光するための下側遮光膜としての機能を有する。より具体的には、走査線３ａは、ＴＦＴアレイ基板１０における裏面反射や、複板式のプロジェクタ等で他の電気光学装置から発せられ合成光学系を突き抜けてくる光などである、ＴＦＴアレイ基板１０側から装置内に入射する戻り光からＴＦＴ３０のチャネル領域１ａ’及びその周辺を遮光する。
【００５８】
走査線３ａの上層に形成される下地絶縁膜１２は、走査線３ａと後述するＴＦＴ３０とを絶縁する機能の他、ＴＦＴアレイ基板１０の全面に形成されることにより、ＴＦＴアレイ基板１０の表面の研磨時における荒れや、洗浄後に残る汚れ等で画素スイッチング用ＴＦＴ３０の特性の劣化を防止する機能を有する。
【００５９】
図４において、走査線３ａより下地絶縁膜１２を介して上層側には、ＴＦＴ３０が形成されている。ＴＦＴ３０は、半導体層１ａと、ゲート絶縁膜２と、走査線３ａと電気的に接続された、或いは走査線３ａの一部として形成されたゲート電極３ｂとを含んで構成されている。
【００６０】
半導体層１ａは、例えばポリシリコンからなり、チャネル領域１ａ’、データ線側ＬＤＤ領域１ｂ及び画素電極側ＬＤＤ領域１ｃ、並びにデータ線側ソースドレイン領域１ｄ及び画素電極側ソースドレイン領域１ｅを有している。即ち、ここでのＴＦＴ３０はＬＤＤ構造を有している。
【００６１】
データ線側ソースドレイン領域１ｄ及び画素電極側ソースドレイン領域１ｅは、チャネル領域１ａ’を基準として、ほぼミラー対称に形成されている。データ線側ＬＤＤ領域１ｂは、チャネル領域１ａ’及びデータ線側ソースドレイン領域１ｄ間に形成されている。画素電極側ＬＤＤ領域１ｃは、チャネル領域１ａ’及び画素電極側ソースドレイン領域１ｅ間に形成されている。データ線側ＬＤＤ領域１ｂ、画素電極側ＬＤＤ領域１ｃ、データ線側ソースドレイン領域１ｄ及び画素電極側ソースドレイン領域１ｅは、例えばイオンインプランテーション法等の不純物打ち込みによって半導体層１ａに不純物を打ち込んでなる不純物領域である。データ線側ＬＤＤ領域１ｂ及び画素電極側ＬＤＤ領域１ｃはそれぞれ、データ線側ソースドレイン領域１ｄ及び画素電極側ソースドレイン領域１ｅよりも不純物の少ない低濃度な不純物領域として形成されている。このような不純物領域によれば、ＴＦＴ３０の非動作時において、ソース領域及びドレイン領域間に流れるオフ電流を低減し、且つＴＦＴ３０の動作時に流れるオン電流の低下を抑制できる。尚、ＴＦＴ３０は、ＬＤＤ構造を有することが好ましいが、データ線側ＬＤＤ領域１ｂ、画素電極側ＬＤＤ領域１ｃに不純物打ち込みを行わないオフセット構造であってもよいし、ゲート電極をマスクとして不純物を高濃度に打ち込んでデータ線側ソースドレイン領域及び画素電極側ソースドレイン領域を形成する自己整合型であってもよい。
【００６２】
ゲート電極３ｂは、例えば導電性ポリシリコンを含んで形成されており、走査線３ａと図示しないコンタクトホール等によって互いに電気的に接続されている。ゲート電極３ｂ及び半導体層１ａ間は、ゲート絶縁膜２によって絶縁されている。
【００６３】
図４において、ＴＦＴアレイ基板１０上におけるＴＦＴ３０よりも第１層間絶縁膜４１を介して上層側には、蓄積容量７０が設けられている。蓄積容量７０は、下部容量電極７１と上部容量電極３００ａが誘電体膜７５を介して対向配置されることにより形成されている。
【００６４】
上部容量電極３００ａは、容量線３００（図３参照）の一部として形成されている。上部容量電極３００ａは、容量線３００を介して定電位源と電気的に接続され、固定電位に維持された固定電位側容量電極である。上部容量電極３００ａは、例えばＡｌ（アルミニウム）、Ａｇ（銀）等の金属又は合金を含んだ非透明な金属膜から形成されており、ＴＦＴ３０を遮光する上側遮光膜（内蔵遮光膜）としても機能する。尚、上部容量電極３００ａは、例えば、Ｔｉ（チタン）、Ｃｒ（クロム）、Ｗ（タングステン）、Ｔａ（タンタル）、Ｍｏ（モリブデン）、Ｐｄ（パラジウム）等の高融点金属のうちの少なくとも一つを含む、金属単体、合金、金属シリサイド、ポリシリサイド、これらを積層したもの等から構成されていてもよい。この場合、上部容量電極３００ａの内臓遮光膜としての機能をより高めることが可能である。
【００６５】
下部容量電極７１は、ＴＦＴ３０の画素電極側ソースドレイン領域１ｅ及び画素電極９ａに電気的に接続された画素電位側容量電極である。より具体的には、下部容量電極７１は、コンタクトホール８２を介して画素電極側ソースドレイン領域１ｅと電気的に接続されると共に、コンタクトホール８３、８４及び８５を介して画素電極９ａに電気的に接続されている。即ち、下部容量電極７１は、後述する第１中継層９１及び第２中継層９２と共に、画素電極側ソースドレイン領域１ｅ及び画素電極９ａ間の電気的な接続を中継する。
【００６６】
また下部容量電極７１は、導電性のポリシリコンから形成されている。このため蓄積容量７０は、所謂ＭＩＳ構造とされている。尚、下部容量電極７１は、画素電位側容量電極としての機能の他、上側遮光膜としての上部容量電極３００ａとＴＦＴ３０との間に配置される、光吸収層或いは遮光膜としての機能も有する。
【００６７】
誘電体膜７５は、例えばＨＴＯ（High Temperature Oxide）膜、ＬＴＯ（Low Temperature Oxide）膜等の酸化シリコン（ＳｉＯ２）膜、或いは窒化シリコン（ＳｉＮ）膜等から構成された単層構造、或いは多層構造を有している。
【００６８】
尚、蓄積容量７０においては、下部容量電極７１を、上部容量電極３００ａと同様に金属膜から形成してもよい。即ち、蓄積容量７０を、金属膜−誘電体膜（絶縁膜）−金属膜の３層構造を有する、所謂ＭＩＭ構造を有するように形成してもよい。この場合には、導電性のポリシリコン等を用いて下部容量電極７１を構成する場合に比べて、電気光学装置の駆動時に、当該電気光学装置全体で消費される消費電力を低減でき、且つ各画素部における素子の高速動作が可能になる。
【００６９】
図４において、ＴＦＴアレイ基板１０上の蓄積容量７０よりも第２層間絶縁膜４２を介して上層側には、データ線６ａ及び第１中継層９１が設けられている。
【００７０】
データ線６ａは、半導体層１ａのデータ線側ソースドレイン領域１ｄに対して、ゲート絶縁膜２、第１層間絶縁膜４１、誘電体膜７５及び第２層間絶縁膜４２を貫通するコンタクトホール８１を介して電気的に接続されている。データ線６ａ及びコンタクトホール８１内部は、例えば、Ａｌ−Ｓｉ−Ｃｕ、Ａｌ−Ｃｕ等のＡｌ含有材料、又はＡｌ単体、若しくはＡｌ層とＴｉＮ（チタンナイトライド）層等との多層膜からなる。データ線６ａは更に、ＴＦＴ３０を遮光する機能も有している。
【００７１】
第１中継層９１は、第２層間絶縁膜４２上においてデータ線６ａと同層に形成された導電層であり、下部容量電極７１及び第２中継層９２間の電気的接続を中継している。データ線６ａ及び第１中継層９１は、例えば金属膜等の導電材料で構成される薄膜を第２層間絶縁膜４２上に薄膜形成法を用いて形成しておき、当該薄膜を部分的に除去、即ちパターニングすることによって相互に離間させた状態で形成される。従って、データ線６ａ及び第１中継層９１を同一工程で形成できるため、装置の製造プロセスを簡便にできる。
【００７２】
図４において、ＴＦＴアレイ基板１０上のデータ線６ａよりも第３層間絶縁膜４３を介して上層側には、シールド層２１０及び第２中継層９２、並びにカラーフィルタ２２０が設けられている。尚、第３層間絶縁膜は、本発明の「層間絶縁膜」の一例である。
【００７３】
シールド層２１０は、例えばアルミニウム等の遮光性を有する金属を含んで構成されており、第３層間絶縁膜４３における平坦部２４０上に形成されている。シールド層は、ＴＦＴ３０に対する上側遮光膜として機能する他、画素電極９ａ及び画素電極より下層側の導電層（例えば、データ線６ａ）間において、容量カップリングが発生してしまうことを防止している。容量カップリングは、複数の導電層の相互間に電磁ノイズを発生させ、結果として表示不良等の様々な不具合を招くおそれがある。よって、シールド層２１０が設けられることにより、より高品質な画像を表示させることが可能となる。
【００７４】
第２中継層９２は、第３層間絶縁膜４３における平坦部２４０上において、シールド層２１０と同層に形成された導電層であり、第１中継層９１及び画素電極９ａ間の電気的接続を中継している。シールド層２１０及び第２中継層９２は、上述したデータ線６ａ及び第１中継層９１と同様に同一工程で形成できるため、装置の製造プロセスを簡便にできる。
【００７５】
カラーフィルタ２２０は、第３層間絶縁膜４３上に形成された凹部２５０を埋めるように形成されている。このためカラーフィルタ２２０は、シールド層２１０及び第２中継層９２と比べると、より下層側にまで形成されている。尚、カラーフィルタ２２０は、上述した各種配線及び電極等とは異なり、画像表示領域１０ａ（図１参照）における開口領域に形成されている。カラーフィルタ２２０は、入射する光のうち、所定範囲の波長を有する光のみを通過させるように構成されており、装置における単板式でのカラー表示を可能とさせている。
【００７６】
図４において、シールド層２１０及びカラーフィルタ２２０データ線６ａよりもオーバーコート膜２３０介して上層側には、画素電極９ａが形成されている。
【００７７】
オーバーコート膜２３０は、シールド層２１０及び第２中継層９２、並びにカラーフィルタ２２０を覆うように設けられており、カラーフィルタ２２０等のＴＦＴアレイ基板１０上に形成された部材に含まれる金属イオンが、液晶層５０に侵入してしまうことを防止する。また逆に、液晶層５０に含まれる水分等が、ＴＦＴアレイ基板１０側に侵入してしまうことも防止する。
【００７８】
画素電極９ａは、ＩＴＯ等の透明な部材によって、開口領域を覆うように設けられており、非開口領域の一部にまで延在している。画素電極９ａは、ＴＦＴアレイ基板１０上で平面的に見て、マトリクス状に複数設けられている。画素電極９ａの上側表面には、ラビング処理等の所定の配向処理が施された配向膜が設けられており、更に上層側には液晶層５０が設けられている。
【００７９】
ここで本実施形態に係る電気光学装置では特に、カラーフィルタ２２０が、第３層間絶縁膜４３における凹部２５０に形成されているため、平坦部２４０上に積層される部分の膜厚が、カラーフィルタ２２０の厚さに応じて、厚くなってしまうことを回避することができる。よって、画素電極９ａと第２中継層９２とを電気的に接続するコンタクトホール８５を、比較的浅いものとして形成することができる。
【００８０】
図５に示すように、仮に第３層間絶縁膜４３上に凹部２５０を形成しないとすると、カラーフィルタ２２０が、シールド層２１０及び第２中継層９２と同じ高さに形成されてしまうことにより、コンタクトホール８５が極めて深いものとなってしまう。具体的には、図４におけるカラーフィルタ２２０の厚みｄ１と、図５におけるカラーフィルタ２２０の厚みｄ３とが同じ値となるように形成した場合、図５におけるコンタクトホール８５の深さｄ４は、図４におけるコンタクトホールの深さｄ２と比べて、カラーフィルタ２２０の厚みｄ３分だけ深くなってしまう。
【００８１】
コンタクトホール８５の深さが深くなると、コンタクトホール８５における抵抗が高くなり、画像を表示するために電圧を印加しなければならない時間が増加してしまう。よって図５に示すような電気光学装置では、画像が適切に表示できなくなってしまうおそれがある。これに対し、図４に示す本実施形態に係る電気光学装置は、カラーフィルタ２２０が第３層間絶縁膜４３の凹部２５０を埋めるように形成されているため、コンタクトホール８５が深くなってしまうことを防止することができる。例えば、１μｍの厚さを有するカラーフィルタ２２０が形成される場合には、凹部２５０の深さを１μｍ以上となるようにすれば、図４に示すように、カラーフィルタ２２０を平坦部２５０に形成しなくとも済む。これにより、コンタクトホール８５の厚さを、例えば０．５μｍ以下にすることが可能となる。
【００８２】
以上説明したように、本実施形態に係る電気光学装置によれば、平坦化処理を施してシールド層２１０を設ける場合であっても、画素電極９ａと電気的に接続されるコンタクトホール８５の抵抗が増大してしまうことを防止できる。従って、高品質なカラー画像を表示することが可能である。
【００８３】
＜電気光学装置の製造方法＞
次に、上述した電気光学装置の製造方法について、図４に加えて、図６から図１０を参照して説明する。ここに図６から図１０は夫々、本実施形態に係る電気光学装置の製造方法の各工程を、順を追って示す工程断面図である。尚、以下では、本実施形態に特有の第３層間絶縁膜を形成する工程について詳細に説明し、他の部材を形成する工程については適宜説明を簡略化或いは省略する。また、図６から図１０では、図４に示した構成要素と同様の構成要素に同一の参照符合を付している。
【００８４】
図６において、本実施形態に係る電気光学装置の製造方法では、ＴＦＴアレイ基板１０の下層側から、走査線３ａ、ＴＦＴ３０、蓄積容量７０及びデータ線６ａを構成する層が積層される。尚、図中の各層は、例えば薄膜形成法を用いて形成された後、ウェットエッチング又はドライエッチング等によりパターニングが行われることによって形成される。
【００８５】
図７において、データ線６ａ及び第１中継層９１が形成されると、その上層に、第３層間絶縁膜４３が形成される。第３層間絶縁膜４３は、例えばスピンコート法を用いて、表面が平坦となるように形成される。或いは、単に材料を塗布して形成した後に、ＣＭＰ（Chemical Mechanical Polishing）等を用いて表面を研磨することにより平坦化を行ってもよい。
【００８６】
図８において、第３層間絶縁膜４３の開口領域に対応する部分は、掘り下げられることにより凹部２５０として形成される。具体的には、第３層間絶縁膜４３における非開口領域に対応する部分にマスクを設けた後に、エッチング等によるパターニングが行われることで、凹部２５０が形成される。凹部２５０は、平坦部２４０と比べて、１μｍ以上掘り下げられていることが望ましい。尚、ここでエッチングされなかった部分（即ち、非開口領域に対応する部分）は、平坦部２４０として残る。
【００８７】
図９において、第３層間絶縁膜４３における平坦部２４０には、シールド層２１０及び第２中継層９２が形成される。シールド層２１０及び第２中継層９２は、第３層間絶縁膜４３にコンタクトホール８４を形成した後に、材料を塗布することで同一層として形成される。即ち、シールド層２１０及び第２中継層９２は、互いに同一の成膜工程によって形成される。その後、エッチング等により、シールド層２１０及び第２中継層が互いに電気的に接続されないように分離されることで別の部材として形成される。尚、シールド層２１０及び第２中継層９２は、第３層間絶縁膜４３上に凹部２５０を形成する前に形成されてもよい。
【００８８】
図１０において、シールド層２１０及び第２中継層９２が形成された後には、第３層間絶縁膜４３における凹部２５０にカラーフィルタ２２０が形成される。尚、カラーフィルタ２２０は、平坦部２４０に重なるように（即ち、第２中継層９２及びシールド層２１０を覆うように）形成されても構わない。カラーフィルタ２２０の上層には、オーバーコート膜２３０が形成される。
【００８９】
図４に戻り、オーバーコート膜２３０上には、コンタクトホール８５が形成された後、画素電極９ａが形成される。ここで本実施形態では特に、カラーフィルタ２２０が凹部２５０を埋めるように形成されるため、コンタクトホール８５が比較的浅いものとして形成される。言い換えれば、第２中継層９２及び画素電極９ａ間に、比較的厚い部材が形成されてしまうことを防止できる。これにより、コンタクトホール８５の抵抗が増大してしまうことを防止できる。
【００９０】
以上説明したように、本実施形態に係る電気光学装置の製造方法によれば、平坦化処理を施してシールド層２１０を設ける場合であっても、画素電極９ａと電気的に接続されるコンタクトホール８５の抵抗が増大してしまうことを防止できる。従って、高品質なカラー画像を表示することが可能である。
【００９１】
＜電子機器＞
次に、上述した電気光学装置である液晶装置を各種の電子機器に適用する場合について説明する。ここに図１１は、プロジェクタの構成例を示す平面図であり、図１２は、デジタルカメラの構成例を示す斜視図である。
【００９２】
図１１示されるように、上述した電気光学装置である液晶装置は、プロジェクタ１１００におけるライトバルブとして用いることができる。プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００９３】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００９４】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００９５】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００９６】
図１２において、上述した液晶装置は、デジタルカメラ２０００におけるファインダ部２１００（所謂、電子ビューファインダ（ＥＶＦ：Electronic View Finder））としても用いることができる。デジタルカメラ２０００は、上述したファインダ部２１００の他、レンズ２２００、シャッタボタン２３００、回路基板２４００、ビデオ信号出力端子２５００、デジタル信号出力端子２６００等を備えて構成される。
【００９７】
デジタルカメラ２０００による画像撮影時には、撮影者が被写体にレンズ２２００を向けることによって、被写体像がファインダ部２１００に表示される。より具体的には、先ずレンズ２２００において受光された光が、ＣＣＤ（Charge Coupled Device）等の撮像素子において光電変換され、撮像信号が生成される。撮像信号は、回路基板２４００において各種処理が施されることで、被写体像としてファインダ部２１００に表示される。尚、回路基板２４００は、撮影された画像に対する各種処理を施す画像処理部、デジタルカメラ２０００の各種機能を制御するＣＰＵ（Central Processing Unit）及び様々な情報を記録するためのメモリ等を含んで構成されている。撮影者は、ファインダ部２１００に表示された画像を確認しながらシャッタボタン２３００を押圧操作し、画像を撮影する。
【００９８】
撮影した画像は、ビデオ信号出力端子２５００又はデジタル信号出力端子２６００をテレビやパーソナルコンピュータに接続することで、外部に出力することが可能とされている。
【００９９】
尚、本実施形態に係る電気光学装置は、図１１及び図１２を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１００】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１０１】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器、並びに電気光学装置の製造方法もまた本発明の技術的範囲に含まれるものである。
【図面の簡単な説明】
【０１０２】
【図１】実施形態に係る電気光学装置の全体構成を示す平面図である。
【図２】図１のＨ−Ｈ´線断面図である。
【図３】実施形態に係る電気光学装置の画像表示領域を構成する各種素子、配線等の等価回路図である。
【図４】実施形態に係る電気光学装置における画素部の具体的な構成を示す断面図である。
【図５】比較例に係る電気光学装置の構成を示す断面図である。
【図６】実施形態に係る電気光学装置の製造方法の各工程を、順を追って示す工程断面図（その１）である。
【図７】実施形態に係る電気光学装置の製造方法の各工程を、順を追って示す工程断面図（その２）である。
【図８】実施形態に係る電気光学装置の製造方法の各工程を、順を追って示す工程断面図（その３）である。
【図９】実施形態に係る電気光学装置の製造方法の各工程を、順を追って示す工程断面図（その４）である。
【図１０】実施形態に係る電気光学装置の製造方法の各工程を、順を追って示す工程断面図（その５）である。
【図１１】電気光学装置を適用した電子機器の一例たるプロジェクタの構成を示す平面図である。
【図１２】電気光学装置を適用した電子機器の一例たるデジタルカメラの構成を示す斜視図である。
【符号の説明】
【０１０３】
１ａ…半導体層、１ａ’…チャネル領域、１ｂ…データ線側ＬＤＤ領域、１ｃ…画素電極側ＬＤＤ領域１ｃ、１ｄ…データ線側ソースドレイン領域、１ｅ…画素電極側ソースドレイン領域、２…ゲート絶縁膜、３ａ…走査線、３ｂ…ゲート電極、６ａ…データ線、９ａ…画素電極、１０…ＴＦＴアレイ基板、１０ａ…画像表示領域、１２…下地絶縁膜、２０…対向基板、３０…ＴＦＴ、４１…第１層間絶縁膜、４２…第２層間絶縁膜、４３…第３層間絶縁膜、５０…液晶層、７０…蓄積容量、７１…下部容量電極、７５…誘電体膜、９１…第１中継層、９２…第２中継層、１０１…データ線駆動回路、１０２…外部回路接続端子、１０４…走査線駆動回路、２１０…シールド層、２２０…カラーフィルタ、２３０…オーバーコート膜、２４０…平坦部、２５０…凹部、３００…容量線、３００ａ…上部容量電極
【図１】
2010072512.tif 000003
【図２】
2010072512.tif 000004
【図３】
2010072512.tif 000005
【図４】
2010072512.tif 000006
【図５】
2010072512.tif 000007
【図６】
2010072512.tif 000008
【図７】
2010072512.tif 000009
【図８】
2010072512.tif 000010
【図９】
2010072512.tif 000011
【図１０】
2010072512.tif 000012
【図１１】
2010072512.tif 000013
【図１２】
2010072512.tif 000014